(57)【要約】【課題】操縦部の上方を覆う運転作業姿勢から格納姿勢にしたとき、移植機の格納保管等を行い易くすると共に、苗つぎ姿勢に切り換え苗つぎ作業を容易にする乗用移植機のキャノピー構造を提供する。【解決手段】走行機体４の前部にエンジン等を覆うボンネット５を有し、その後方に操縦部６を配置し、該操縦部６の上方を覆うキャノピー２を、操縦部６の前側でボンネット５の側方に立設したキャノピー支柱３０に回動支持部３１を介して姿勢変更可能に設けた移植機において、前記キャノピー２の回動支持部３１を操縦部６に設置されるステアリングハンドル１２の前側において略同高さに設け、キャノピー２を操縦部６の上方を覆う運転作業姿勢と、後方に傾倒させる格納姿勢と、前側に傾倒させる苗つぎ姿勢とに切換可能に構成した。【選択図】図１
2005287356.tif 000002
【特許請求の範囲】
【請求項１】
走行機体（４）の前部にエンジン等を覆うボンネット（５）を有し、その後方に操縦部（６）を配置し、該操縦部（６）の上方を覆うキャノピー（２）を、操縦部（６）の前側でボンネット（５）の側方に立設したキャノピー支柱（３０）に回動支持部（３１）を介して姿勢変更可能に設けた移植機において、前記キャノピー（２）の回動支持部（３１）を操縦部（６）に設置されるステアリングハンドル（１２）の前側において略同高さに設け、キャノピー（２）を操縦部（６）の上方を覆う運転作業姿勢と、後方に傾倒させる格納姿勢と、前側に傾倒させる苗つぎ姿勢とに切換可能に構成した乗用移植機のキャノピー構造。
【請求項２】
キャノピー（２）を屋根部（２１）とフロントウィンドウ（２２）を接続し側面視で逆Ｌ字状に形成すると共に、該屋根部（２１）とフロントウィンドウ（２２）の背後に支持間隔を有して沿わせた補助ステー（２５）を、フロントウィンドウ（２２）の下部と屋根部（２１）の後部に連結した請求項１記載の乗用移植機のキャノピー構造。
【発明の詳細な説明】
【技術分野】
【０００１】
本発明は、キャノピー支柱にキャノピーを支持し操縦部の上方を覆う乗用移植機のキャノピー構造に関する。
【背景技術】
【０００２】
従来、ボンネットの側方で補助苗載台との間に立設されるキャノピー支柱に、キャノピーの前部を回動支持部によって片持ち支持状態で設け、操縦部の上方を覆う運転作業姿勢とキャノピー後部を下方に回動させた格納姿勢に切換可能にした移植機は、特許文献１で示されるように既に公知である。
【０００３】
このキャノピー構造は、キャノピー支柱の上部に構成されるキャノピーの回動支持部を、座席に着座するオペレータの頭部位置より高い位置に設け、上記回動支持部を支点にキャノピーを運転作業姿勢から格納姿勢へ、また作業者がデッキ部に立ち上がって行う植付装置に対する苗補給等のメンテナンス作業のため、キャノピーを上方回動させキャノピー支柱の延長方向に姿勢変更し立ち作業姿勢に切り換える構成になっている。
【特許文献１】特開２００１−２２４２０８号公報
【発明の開示】
【発明が解決しようとする課題】
【０００４】
然し、上記特許文献１で示されるように、操縦部の上方を覆う屋根部だけを回動させるキャノピーは、長いキャノピー支柱の高位置に備えた回動支持部を中心に回動して姿勢変更が行われるので、苗補給のため前側ステップに移動し補助苗載台からマット苗を取り出す苗つぎ作業を行うとき、キャノピーを上方回動し立ち作業姿勢に切り換えられていても、長いキャノピー支柱の上部に作業者の肩や腕が接当する欠点がある。また前側のステップを移動するとき、巾に制約がある狭い前側ステップ上でキャノピー支柱をかわしながら、体を捻る等の無理な動作で作業を伴うため、苗つぎ作業を煩雑にして移植作業能率を低下させる等の問題がある。
【０００５】
またキャノピーを格納姿勢に変更した場合に、回動支持部が高いため格納姿勢を低くできないものであると共に、移植機を車両に積んで運搬する際にキャノピーが風に煽られ易い等の問題がある。
【課題を解決するための手段】
【０００６】
上記課題を解決するために本発明の乗用移植機のキャノピー構造は、第１に、走行機体４の前部にエンジン等を覆うボンネット５と操縦部６を配置し、該操縦部６の上方を覆うキャノピー２を、操縦部６の前側でボンネット５の側方に立設したキャノピー支柱３０に回動支持部３１を介して姿勢変更可能に設けた移植機において、前記キャノピー２の回動支持部３１を操縦部６に設置されるステアリングハンドル１２の前側において略同高さに設け、キャノピー２を操縦部６の上方を覆う運転作業姿勢と、後方に傾倒させる格納姿勢と、前側に傾倒させる苗つぎ姿勢とに切換可能に構成したことを特徴としている。
【０００７】
第２に、キャノピー２を屋根部２１とフロントウィンドウ２２を接続し側面視で逆Ｌ字状に形成すると共に、該屋根部２１とフロントウィンドウ２２の背後に支持間隔を有して沿わせた補助ステー２５を、フロントウィンドウ２２の下部と屋根部２１の後部に連結したことを特徴としている。
【発明の効果】
【０００８】
以上のように本発明によれば、キャノピーをステアリングハンドルの前側において略同高さに設けた回動支持部を支点に運転作業姿勢から格納姿勢にするので、キャノピーの格納高さが低くなり移植機の格納保管を行い易くすることができる。また風によるキャノピー煽りを規制することができる。さらに、キャノピーを回動支持部から前側に傾倒させて苗つぎ姿勢に切り換えたとき、キャノピー支柱はステアリングハンドル１２の上方に高く突出しないから、操縦部の上方及び前方の空間部を広くすることができ、苗つぎ作業等を簡単に行うことができる。
【０００９】
屋根部とフロントウィンドウを接続し、背後に支持間隔を有して沿わせた補助ステーを設けたキャノピーは、側面視で逆Ｌ字状をなすキャノピー自身の剛性と、屈曲方向に対する補助ステーの補強支持によって全体を剛体構造にすることができ、安定性の高いキャノピー支柱への片持ち状支持をすることができる。また補助ステーはキャノピーを回動する際の取っ手に兼用することもでき、キャノピーの姿勢変更を簡単に行うことができる。
【発明を実施するための最良の形態】
【００１０】
本発明の一実施形態を図面に基づいて説明する。図１，図２において符号１は、キャノピー２を備えた乗用型の移植機を示し、前輪３及び後輪３ａを有する走行機体４に、前部に図示しないエンジンを搭載し燃料タンクと共にボンネット５で覆い、該ボンネット５の後方に操縦部６を配置し、操縦部６の前側でボンネット５の両側に補助苗載台７，７を設置し、機体後部に油圧作動される昇降リンク機構９を介し植付装置１０を昇降可能に支持している。
【００１１】
植付装置１０は、５条分のマット苗を載置する苗載台１０ａと、苗載台１０ａから苗を掻き取って植付ける各植付爪１０ｂと、植付時に接地させる複数のフロート１０ｃ等から構成される。
操縦部６は、走行機体４の中間部にフラット状に形成されるデッキ部１１と、該デッキ部１１の前方に配置されるステアリングハンドル１２と後方の座席１３を有しており、該座席１３はデッキ部１１の後方中央部に立設されカバー１５で覆われた座席フレームの上部に設置される。
【００１２】
このデッキ部１１は前後に、ボンネット５とカバー１５の両外側に沿って、それぞれ歩行移動可能なフラット面の前側ステップ１６と後側ステップ１７を接続形成している。
また前記補給用のマット苗を複数段に載置する補助苗載台７は、上記左右の前側ステップ１６の外側に走行機体４側から立設した支柱に構成される。
【００１３】
上記のような移植機１において、座席１３に着座する作業者の上方を覆うキャノピー２は、操縦部６の前側に構成され回動機構を有するキャノピー構造によって、運転作業姿勢と格納姿勢と苗つぎ姿勢との三様の姿勢に切換可能に構成される。
【００１４】
即ち、キャノピー２は後述するキャノピー支柱３０の回動支持部３１を介し、姿勢切換可能に設けたキャノピー枠２０と、該キャノピー枠２０に支持される日除け用の屋根部２１と透明部材からなるフロントウィンドウ２２等からなる。
図示例の屋根部２１とフロントウィンドウ２２は共に合成樹脂材からなり、緩やかな湾曲面をなす断面により剛性を有した形状に製作される。またキャノピー２は屋根部２１の前下がり状の下辺と、フロントウィンドウ２２の上辺を一体的に組み付けて接続することにより、側面視で逆Ｌ字状に形成される。
【００１５】
キャノピー枠２０は、フロントウィンドウ２２の下部両側に取付固定された状態で、キャノピー支柱３０に回動可能に支持する板部材からなる左右の取付ブラケット２３，２３と、上記取付ブラケット２３，２３を連結する補強用の連結枠２０ａで構成される。
取付ブラケット２３，２３は、キャノピー２の背後において屋根部２１とフロントウィンドウ２２の形状に沿い、所定の支持間隔を有して設ける補助ステー２５の基端部を取付固定している。
【００１６】
上記取付ブラケット２３から立設状態になる補助ステー２５は、フロントウィンドウ２２の背後に沿設した上部を、キャノピー２の逆Ｌ字状の屈曲部に近接させて屈曲し、屋根部２１の下方に支持間隔を有して延長し内向きに曲げた後端部を、屋根部２１の裏側後部に形成した取付座２６に取付固定される。
【００１７】
この構成により、操縦部６の前側で逆Ｌ字状をなすキャノピー自身の剛性と、折り曲げ（屈曲）方向に対する補助ステー２５の補強支持によってキャノピー全体を剛体構造にすることができ、キャノピー支柱３０の上部に片持ち状に支持されるキャノピー２の十分な強度と、且つ防振性を高めた支持安定性が向上する。
【００１８】
即ち、キャノピー２は湾曲状断面をなす屋根部２１とフロントウィンドウ２２を連結してパネル剛性を高め、且つ補助ステー２５がフロントウィンドウ２２と屋根部２１に対し所定の支持間隔を維持した状態で、その下部と後部を取付ブラケット２３と取付座２６に連結させて屈曲方向の剛性を高める。
【００１９】
また後述する回動機構を介し、運転作業姿勢から後方に傾倒させる格納姿勢、及び運転作業姿勢から前側に傾倒させる苗つぎ姿勢に切換回動する際の振動や衝撃に対しても、十分な剛性と靱性を有しキャノピー２の変形を防止することができる。
【００２０】
また補助ステー２５はキャノピー形状に沿って背後に近設されるので、座席１３側との操縦空間を狭めることなく設置されるので、操縦部６の上方を覆う運転作業姿勢において、運転時はもとより作業者が操縦部６に乗降する際にも邪魔にならない。
またキャノピー２を苗つぎ姿勢に切り換えた状態で、座席１３側から前かがみ姿勢で補助苗載台７の苗位置修正等のメンテナンス作業を行うとき、補助ステー２５及びキャノピー支柱３０は作業の邪魔をしない。
【００２１】
さらに、キャノピー２の上記三様の姿勢変更を行うとき、フロントウィンドウ２２の背後で補強用の支持間隔を有して長く沿設される補助ステー２５は、身長の異なる作業者の何れもが、手を伸ばして任意位置を容易に把持することができるので、補助ステー２５を取っ手として利用することができる。また特別な取っ手を省略することができるから、キャノピー構造を簡潔にすることができる等の利点もある。
【００２２】
上記のように構成されるキャノピー２の形状及び大きさは、フロントウィンドウ２２がステアリングハンドル１２の前側で立設可能に形成され、且つ屋根部２１の後部が座席１３を覆う長さで、また格納姿勢において屋根部２１の後部が座席１３と苗載台４の間に形成される空間部に深く入り込んでコンパクトに格納されるようにしている。
【００２３】
これによりキャノピー２は格納姿勢に変更されると、その屈曲部を座席１３に近接又は支持可能状態で、後部を前記空間部に入り込ませキャノピー格納高さを可及的に低くすることができる。従って、移植機１の格納保管を行い易くすると共に、屋外において強風によるキャノピー煽りを回避でき、またステアリングハンドル１２や座席１３等の雨除けも確実に行うことができる。
【００２４】
さらに、苗つぎ姿勢に変更したときのキャノピー２は、その後端部をステアリングハンドル１２の上方又はそれよりやや前側となる、図１の仮想線で示される程度の回動位置に切り換え支持する構成とし、作業者が着座姿勢からそのまま起立するとき、頭部及び身体とキャノピー２との接触を防止する。このときキャノピー２は上記の回動位置程度で前側に大きく回動させないので、キャノピー支柱３０に対しても支持モーメントを過大にすることなく、キャノピー構造を簡潔な構成とし軽量化を図ることができる。
【００２５】
またキャノピー２の巾は、ボンネット５と略同じ巾かやや広巾に抑えることにより、キャノピー２を苗つぎ姿勢に変更したとき、フロントウィンドウ２２が両側の前側ステップ１６の上方に大きく張り出すことを規制し、補助苗載台７からマット苗を取り出し植付装置１０の苗載台４に苗補給をする動作の邪魔にならない構成とする。
【００２６】
このためキャノピー支柱３０は後述するように、上部に設けたキャノピー２を回動可能に軸支する回動支持部３１を上部に構成する縦支柱部位をボンネット５に近接させ、縦支柱部位の下部は外側に向けて略コ字状に屈曲し、前側ステップ１６に近接させた迂回状態で走行機体４の側壁に取付固定される。また略ボンネット巾となる左右のキャノピー支柱３０，３０の上部は横フレーム３２で連結補強している。
【００２７】
またキャノピー２は、可撓性を有する透明板からなる補助ウィンドウ片３５をフロントウィンドウ２２の下辺に沿って取付固定し、補助ウィンドウ片３５の下端をボンネット５の上部形状沿って近接させ、前記連結枠２０ａの前側を覆っている。尚、補助ウィンドウ片３５は可撓性を有するので、ボンネット５或いは該ボンネット５が有する燃料タンク部カバーの開閉操作を妨げない。そして、フロントウィンドウ２２の表面清掃をするワイパー３６は、補助ウィンドウ片３５の背後で連結枠２０ａに取付支持したワイパーモーター３７から、ワイパー軸を補助ウィンドウ片３５に貫通させて駆動するようにしている。
【００２８】
次ぎに図３，図４を参照しキャノピー２の支持構造について説明する。前記したように機体側から前側ステップ１６をコ字状に迂回させて、ボンネット５の後部側方に立設したキャノピー支柱３０，３０は、その上部に突設した支持軸５０を前記キャノピー枠２０の取付ブラケット２３，２３に穿設した取付孔５１に挿入し、キャノピー２の前記回動支持部３１を構成している。この回動支持部３１はステアリングハンドル１２の前側において略同高さに設置される。即ち、図示例の回動支持部３１はボンネット５の上方で且つステアリングハンドル１２の上端部より下方とし、またフロントウィンドウ２２の下端部より上方に位置せしめている。
【００２９】
また左右のキャノピー支柱３０，３０を略ボンネット巾で連結する前記横フレーム３２は、機体側から立設され内部にハンドル軸５２を軸支するハンドル支柱５３に嵌挿固定したリング状の取付部材５５と、ステー５６によって連結させることにより、キャノピー支柱３０，３０の前後及び左右方向の補強をして支持剛性を高めている。
【００３０】
またキャノピー２を姿勢変更可能に切換回動する回動機構は、図４に示すように一方の取付ブラケット２３に上記キャノピー２の各姿勢位置に対応して係合溝５７，５８，５９を穿設し、キャノピー支柱３０側に非係止姿勢から係止姿勢に切り換え操作可能に付勢支持した操作部材６０を、上記係合溝５７，５８，５９に対し択一的に係止する構成となっている。
【００３１】
即ち、回動機構は同図で示すように操作部材６０が係合溝５７に係止したキャノピー２の運転作業姿勢から、切り換え操作によって操作部材６０を係合溝５９に係止すると苗つぎ姿勢にすることができ、また係合溝５８に係止するとキャノピー２を格納姿勢に切り換え支持することができる。
【００３２】
以上のようにキャノピー２を運転作業姿勢と格納姿勢と苗つぎ姿勢とに切換可能に構成されるキャノピー構造を備えた移植機１は、キャノピー２を運転作業姿勢にした状態で移植作業を行い、機体を停止して苗つぎ作業を行うときは、作業者は座席１３から立ち上がる前に、前記回動機構の固定を解除した状態で片手を伸ばし補助ステー２５の任意位置を把持して前側に押すと、キャノピー２を回動支持部３１を支点とし前側に傾倒させ苗つぎ姿勢に簡単に切り換え支持することができる。
【００３３】
この苗つぎ姿勢において、キャノピー２の回動支持部３１をステアリングハンドル１２の前側近傍に位置するように短く形成されるキャノピー支柱３０は、キャノピー２を前側枠部材を兼用するフロントウィンドウ２２側から全体を前側に姿勢変更し、且つこのときキャノピー支柱３０がステアリングハンドル１２の上方に高く突出しないから、操縦部６の上方及び前方の空間部即ち前側空間部を広くすることができ、キャノピー支柱３０及びキャノピー２に邪魔されることなく、苗つぎ作業及び補助苗載台７等のメンテナンス作業を能率よく簡単に行うことができる。
【００３４】
またキャノピー２は格納姿勢に切り換えられたとき、上記回動支持部３１側から屋根部２１が座席１３と植付装置１０間の空間部内に向けて傾倒されるから、キャノピー２の格納高さを低くすることができる。
尚、本実施形態のキャノピー２は、屋根部２１とフロントウィンドウ２２を接続形成した構成について説明したが、これに限定されることなくフロントウィンドウ２２を設けないで屋根部２１のみにする場合には、フロントウィンドウ２２に代えて、キャノピー枠２０の両側から取付枠を立設し、この取付枠の上部に屋根部２１の前側左右を連結する構成にすることができる。
【図面の簡単な説明】
【００３５】
【図１】本発明のキャノピー構造を備えた乗用移植機の側面図である。
【図２】図１の平面図である。
【図３】キャノピー構造の半分を省略して示す正面図である。
【図４】キャノピー構造を一部省略して示す斜視図である。
【符号の説明】
【００３６】
１    乗用移植機
２    キャノピー
４    走行機体
５    ボンネット
６    操縦部
７    補助苗載台
１２  ステアリングハンドル
２０  キャノピー枠
２１  屋根部
２２  フロントウィンドウ
２５  補助ステー
３０  キャノピー支柱
３１  回動支持部
【図１】
2005287356.tif 000003
【図２】
2005287356.tif 000004
【図３】
2005287356.tif 000005
【図４】
2005287356.tif 000006